(57)【要約】【課題】  乳飲料水用容器の注ぎ口を手の指で触らずに、毎回の使用時の開閉（出し入れ）を可能にする、えいせいじようの心配（食中毒のたぐい）を皆無とする、何の障害もなく安心して使用可能な、乳飲料水用容器を設ける【解決手段】  乳飲料水用容器の注ぎ口の外側中芯部分の適合する位置に、取り手となる凸部を設ける、これに関連して諸々の補助具を用い（本発明の個々の部品）手の指で、注ぎ口を触らずに使用可能な、取り手となる凸部を有する乳飲料水用容器を設ける【選択図】図２０
2018095316.tif 000002
【特許請求の範囲】
【請求項１】
注ぎ口の、外側中芯部分に取り手となる凸部を設けている、注ぎ口を手の指で触らずに開閉を可能にして使用する、乳飲料水用容器であつて復数の形態で（１号〜４号まで）復数以上の容器を設ける、用途に適合する材質を選択して用いて使用する（１）〜（１１）で構成を有することを特徴とする、取り手となる凸部を有する乳飲料水用容器
（１）第１号容器、乳飲料水用容器本体７の上端部分前方に、外、内に自由可動の注ぎ口３を設けている、（図１を参照）（図１は第１号器の全体図を示している）
（２）乳飲料水用容器７の上部分に、屋根状に傾斜した部分８を設けている、
（３）屋根状に傾斜した部分８の上部に、接合固定した部分１、接合固定した部分の左２８、接合固定した部分の右２９を設けている、
（４）接合固定した部分１の前方に、外、内に、自由可動の注ぎ口３がある、注ぎ口３の上部の後方に、適合する間を設けて、軒先状に内側に折曲した部分２を設けている、この折曲した部分２は外側には開かぬようになつている、なを、隙間から雑菌の侵入を防止する仕組みとなつている
（５）注ぎ口３の外側前中芯部分の下部の適合する位置に、取り手となる凸部５を設けている
（６）注ぎ口３の使用時、注ぎ口３は外側に動く、使用が終ると内側に動く、容器本体も少々動く、注ぎ口３が動きやすくなる位置に、自由可動の補助をする折り目９を、設けている、以上のようになつている、取り手となる凸部を有する乳飲料水用容器
（７）第２号容器、図１１に示す、外側に開かぬ形態に設けている、軒先状に内側に折曲した部分１９を設けたことを示している
（８）図１２に示す、接合固定した部分１、乳飲料水用容器の後面２４、は図１１に示しているが、この（１）（２４）を図２７のように接合している、内側に折曲した容器の後面２７、取り手となる凸部５、外、内に、自由可動の注ぎ口３、乳飲料水用容器の底面２５を設けている
（９）図１３に示す、軒先状に内側に折曲した部分１９を拡大したことを示している、外、内に、自由可動の注ぎ口３、取り手となる凸部５、自由可動の補助をする折り目９、注ぎ口の後面になる部分３１、内側に折曲した容器の後面２７を設けている、以上のようになつている、取り手となる凸部を有する乳飲料水用容器
（１０）第３号容器、図１９に示す、注ぎ口の後面になる部分３１の内側に接合した補強物質の底面３８と注ぎ口の上端になる縁４０の間に少々の高低をつけて空白部分を設けている、注ぎ口の後面になる部分３１、３１の内側に接合した補強物質３６、外、内に、自由可動の注ぎ口３、注ぎ口３の上端になる縁４０の前方の点線で示す縁３９、取り手となる凸部の支持体６、自由可動の補助をする折り目４１、取り手となる凸部５、注ぎ口３を閉じると接触する部分３７、注ぎ口３の側面４２、以上のようになつている、取り手となる凸部を有する乳飲料水用容器
（１１）第４号容器、図２０に示す、乳飲料水用容器の個々の部分を示している、軒先状に内側に折曲した部分２、外、内に、自由可動の注ぎ口３、補強した物質３５、取り手となる凸部５、取り手となる凸部の支持体６、自由可動の補助をする折り目９、乳飲料水の押入口４７、乳飲料水押入後折曲して蓋状に接合固定する凸部４６、つまみ引きよせあつて接合した凸部４５、乳飲料水用容器の底面２５、以上のようになつている、なを、使用については、図２１、図２２、図２３を、参照して下さい、となつている、取り手となる凸部を有する乳飲料水用容器
【発明の詳細な説明】
【技術分野】
【０００１】  本発明は、乳飲料水用容器の注ぎ口を手の指で触らずに開閉（出し入れ）を自由にする、取り手となる凸部を有する乳飲料水用容器に関するものである
【背景技術】
【０００２】  通常使用しているＡ社の乳飲料水用容器は、注ぎ口を手の指で触り開閉（出し入れ）をしている、使用する毎回のことなので、えいせいじよう悪い、食中毒を思い出して心配される、他社も、ほぼ同様である
【先行技術文献】
【特許文献】
【０００３】
【特許文献１】特許公開番号２００６−３２１５５８
【０００４】
【非特許文献１】
【０００５】
【発明の概要】
【発明が解決しようとする課題】
【０００６】  乳飲料水用容器の注ぎ口を手の指で触らずに、毎回の使用時の開閉を（出し入れを）可能にする、えいせいじようの心配（食中毒のたぐい）を皆無にする、何の障害もなく安心して使用可能な、乳飲料水用容器を設ける
【課題を解決するための手段】
【０００７】  乳飲料水用容器の注ぎ口の外側中芯部分の適合する位置に、取り手となる凸部を設ける、これに関連して諸々の補助具を用い、手の指で注ぎ口を触らずに開閉（出し入れ）を自由に箇単に可能にする、乳飲料水用容器を設ける
【発明の効果】
【０００８】  発明の乳飲料水用容器を使用すると、手の指で注ぎ口を触らずに開閉（出し入れ）を自由に箇単に可能なり快適に使用できる、取り手となる凸部を持つて注ぎ口を開閉（出し入れ）をするので、不潔な手からの中毒の心配が皆無となり、何の障害もなくなり安心してお客様に提供できる
【図面の簡単な説明】
【０００９】
【図１】  本発明の請求項１の乳飲料水用容器の全体図を示す、立体図
【図２】  新品の乳飲料水用容器を示す、立体図
【図３】  使用する時第１段階として手の指先で持つて開放の状態を示す、立体図
【図４】  第２段階として開放の状態を示す、立体図
【図５】  第３段階として、はぎとる部分を、はぎとつた状態を示す、立体図
【図６】  第４段階として、軒先状に内側に折曲した部分を示す、立体図
【図７】  はぎとる部分のみを上視したことを示す、上視図
【図８】  取り手となる凸部を手で持ち、注ぎ口を引き出し時を示す、上視図
【図９】  取り手となる凸部を手で持ち、注ぎ口を引き出す途中を示す、上視図
【図１０】  取り手となる凸部を手で持ち、注ぎ口を引き出したことを示す、上視図
【図１１】  乳飲料水用容器の形態を変更したしたことを示す、立体図
【図１２】  接合固定した部分を内側に折曲した容器を示す、立体図
【図１３】  軒先状に内側に折曲した部分を拡大したことを示す、立体図
【図１４】  接合固定した部分を矢印が示すように変更したことを示す、上視図
【図１５】  取り手となる凸部を示す、立体図
【図１６】  取り手となる凸部の形をかえて製作しても良いことを示す、立体図
【図１７】  取り手となる凸部を適合可能に変更しても良いことを示す、側面図
【図１８】  取り手となる凸部を形態に適合して製作したことを示す、側面図
【図１９】  補強接合した部分、閉じると接触する部分、注ぎ口の形態を示す、側面図
【図２０】  乳飲料水用容器の個々の部分、全体を示す、立体図
【図２１】  乳飲料水を押入する、押入口を示す、立体図
【図２２】  内側に折曲した部分、取り手となる凸部の支持体等々を示す、立体図
【図２３】  新品の、注ぎ口を閉じた、未開封の状態を示す、側面図
【図２４】  接合固定した部分を内側に折曲接合して、使用時持つ位置を示す、立体図
【発明を実施するための形態】
【００１０】  本発明の実施の形態を図１〜図２４に基ずいて説明する
【００１１】  図１は、本発明の請求項１の乳飲料水用容器の全体図となつている、接合固定した部分１、軒先状に内側に接曲した部分２、外、内に、自由可動の注ぎ口３、自由可動の注ぎ口の縁４、取り手となる凸部５、取り手となる凸部の支持体６、自由可動の補助をする折り目９、乳飲料水用容器本体７、屋根状に傾斜した部分８、接合固定した部分の右２９、接合固定した部分の左２８、乳飲料水用容器本体の底面２５、となつている
【００１２】  図２は、新品の乳飲料水用容器を示している、接合固定した部分１、開放可能に接合した部分１０、取り手となる凸部５、自由可動の補助をする折り目９、屋根状に傾斜した部分８、となつている
【００１３】  図３は、使用する手順、第１段階として、左手１１、右手１２、で開放可能に接合した部分１０を開放しようとする状態を示している、取り手となる凸部５、乳飲料水用容器本体７、となつている
【００１４】  図４は、使用する手順、第２段階として、開放可能に接合した部分を開放したことを示している、接合固定した部分１、軒先状に内側に折曲する部分１３、はぎとる部分１４、はぎとる部分の、とり手となる突出部分１５、はぎとると注ぎ口が出てくる部分１７、はぎとるために切り込みした部分１６、取り手となる凸部５、乳飲料水用容器本体７、自由可動の補助をする折り目９、屋根状の傾斜部分８となつている
【００１５】  図５は、使用する手順、第３段階として、はぎとる部分をはぎとつたことを示している、接合固定した部分１、軒先状に内側に折曲する部分１３、はぎとるために切り込みを入れた部分１６、取り手となる凸部５、自由可動の補助をする折り目９、屋根状に傾斜した部分８、はぎ取ると注ぎ口になつた部分１８となつている
【００１６】  図６は、使用する手順、第４段階として、軒先状に内側に折曲した部分を示している、接合固定した部分１、軒先状に内側に折曲した部分１９、折り目のシワ２０、はぎとると注ぎ口になつた部分１８、取り手となる凸部５、はぎとるために切り込みを入れた部分１６、屋根状に傾斜した部分８となつている
【００１７】  図７は、はぎとる部分のみを上視していることを示している、はぎとるために切り込みを入れた部分１６、はぎとる部分の取り手となる突出部分１５、はぎとると注ぎ口が出てくる部分１７、はぎとられる部分２１となつている
【００１８】  図８は、使用の始めに、取り手となる凸部を手に持ち注ぎ口を引き出そうとする状態を上視図で示している、手３０、取り手となる凸部５、軒先状に内側に接曲した部分２、注ぎ口の後面になる部分３１、外、内、自由可動の注ぎ口３、接合固定した部分の右２９、接合固定した部分の左２８、接合固定した部分１、となつている
【００１９】  図９は、使用中、注ぎ口を引き出す途中の状態を上視図で示している、手３０、取り手となる凸部５、軒先状に内側に折曲した部分２、注ぎ口の後面になる部分３１、接合固定した部分の右２９、接合固定した部分の左２８、接合固定した部分１、外、内に自由可動の注ぎ口３となつている
【００２０】  図１０は、外、内、に自由可動の注ぎ口の引き出しが完予したことを、上視図で示している、手３０、取り手となる凸部５、軒先状に内側に折曲した部分２、注ぎ口の後面になる部分３１、接合固定した部分の右２９、接合固定した部分の左２８、接合固定した部分１となつている、なを、軒先状に内側に折曲した部分２は第８図に示す位置より外側に動かぬようになつている、注ぎ口３を閉じて三角形の状態を保つと、注ぎ口３が確実に密封されるようになつている、この仕組を用いた乳飲料水用容器を、選択して設ける、
【００２１】  図１１は、乳飲料水用容器の形態を変更したことを示している、接合固定した部分１、外側に開かぬ形状にした軒先状に内側に折曲した部分１９、外、内に、自由可動の注ぎ口３、取り手となる凸部５、外内に自由可動の注ぎ口の前面２６、乳飲料水用容器の底面２５、乳飲料水用容器の前面２３、接合固定した部分と開放可能に接合した部分の境界線２２、乳飲料水用容器の後面２４、となつている
【００２２】  図１２は、図１１に示す乳飲料水用容器の後面２４を、折曲して、乳飲料水用容器の前面２３に接合したことを、図１２の内側に折曲した容器の後面２７に接合したことを示している、外側に開かぬ形状に設けた、軒先状に内側に折曲した部分１９。外、内に自由可動の注ぎ口３、取り手となる凸部５、乳飲料水用容器の底面２５、となつている、
【００２３】  図１３は、外側に開かぬ形状に設けた、軒先状に内側に折曲した部分１９、拡大したことを示している、外、内に自由可動の注ぎ口３、取り手となる凸部５、内側に折曲した容器の後面２７、注ぎ口の後面となる部分３１、自由可動の補助をする折り目９、となる
【００２４】  図１４は、注ぎ口の後面になる部分３１に、注ぎ口の後面になる部分に接合した接合固定した部分の左３２、注ぎ口の後面になる部分に接合した接合固定した部分の右３３を、点線で接合固定した部分３４が示す矢印のように接合している、手３０、取り手となる凸部５、となつている
【００２５】  図１５は、取り手となる凸部を示す、取り手となる凸部５、自由可動の補助をする折り目９、取り手となる凸部の支持体６、補強した物質３５、つなぎめ４３、となつている
【００２６】  図１６は、形態を変えて、補強した物質３５、接合固定した部分１、取り手となる凸部５、自由可動の補助をする折り目９、取り手となる凸部の支持体６、となつている
【００２７】  図１７は、取り手となる凸部を適合可能に変更製作したことを示す、接合固定した部分１、取り手となる凸部５、取り手となる凸部の支持体６、となつている、
【００２８】  図１８は、取り手となる凸部を形態に適合可能に変更して製作したことを示している、取り手となる凸部５、接合固定した部分１、取り手となる凸部の支持体６、となっている
【００２９】  図１９は、補強接合した部分、閉じると接触する部分、注ぎ口の形態を示している、注ぎ口の後面になる部分３１、３１の内側に接合した補強物質３６、外、内に自由可動の注ぎ口３、注ぎ口３の上端になる縁４０、注ぎ口３の上端になる縁４０の前方の点線で示す縁３９、取り手となる凸部の支持体６、自由可動の補助をする折り目４１、取り手となる凸部５、注ぎ口の側面４２、注ぎ口を閉じると接触する部分３７。３１の内側に接合した補強物質の底面３８となつている
【００３０】  図２０は、乳飲料水用容器の個々の部分全体を示している、軒先状に内側に折曲した部分２、外、内に、自由可動の注ぎ口３、補強した物質３５、取り手となる凸部５、取り手となる凸部の支持体６、自由可動の補助をする折り目９、乳飲料水の押入口４７、乳飲料水押入後折曲して蓋状に接合固定する凸部４６、つまみ引きよせあつて接合した凸部４５、乳飲料水用容器の底面２５、となつている
【００３１】  図２１は、乳飲料水を押入する、押入口を、示している、乳飲料水の押入口４７、乳飲料水押入後折曲して蓋状に接合固定する凸部４６、つまみ引きよせあつて接合した凸部４５、開封前の閉じた状態の注ぎ口４８、自由可動の補助をする折り目９と、なつている、
【００３２】  図２２は、軒先状に内側に折曲した部分２、取り手となる凸部の支持体６、等々を示す、取り手となる凸部５、自由可動の補助をする折り目９、乳飲料水用容器の底面２５、乳飲料水押入後折曲して蓋状に接合固定する凸部４６、つまみ引きよせあつて接合した凸部４５と、なつている
【００３３】  図２３は、注ぎ口を閉じた、未開封の状態を示す、つまみ引きよせあつて接合した凸部４５、軒先状に内側に折曲した部分２、取り手となる凸部５、自由可動の補助をする折り目９と、なつている
【００３４】  図２４は、接合固定した部分を内側に折曲して接合後、使用時に容器を持つ位置を示す、つまみ引きよせあつて接合した凸部４５、軒先状に内側に折曲した部分２、取り手となる凸部５、外、内に、自由可動の注ぎ口３、取り手となる凸部の支持体６、点線の手で示す持つ手の位置４４、高低差のある空白部分４９、乳飲料水用容器の底面２５、手３０と、なつている（図１３を参照）
【符号の説明】
【００３５】１  接合固定した部分
２  軒先状に内側に折曲した部分
３  外、内に、自由可動の注ぎ口
４  自由可動の注ぎ口の縁
５  取り手となる凸部
６  取り手となる凸部の支持体
７  乳飲料水用容器本体
８  屋根状に傾斜した部分
９  自由可動の補助をする折り目
１０  開放可能に接合した部分
１１  左手
１２  右手
１３  軒先状に内側に接曲する部分
１４  はぎとる部分
１５  はぎとる部分の取り手となる突出部分
１６  はぎとるための切り込みを入れた部分
１７  はぎとると注ぎ口が出てくる部分
１８  はぎとると注ぎ口となつた部分
１９  外側に開かぬ形態にして、軒先状に内側に折曲した部分
２０  折り目のシワ
２１  はぎとられる部分
２２  接合固定部分と開放可能に接合した部分の境界線
２３  乳飲料水用容器の前面
２４  乳飲料水用容器の後面
２５  乳飲料水用容器の底面
２６  外、内に、自由可動の注ぎ口の前面
２７  内側に折曲した容器の後面
２８  接合固定した部分の左
２９  接合固定した部分の右
３０  手
３１  注ぎ口の後面になる部分
３２  注ぎ口の後面になる部分に接合した、接合固定した部分の左
３３  注ぎ口の後面になる部分に接合した、接合固定した部分の右
３４  矢印が示す接合固定した部分
３５  補強した物質
３６  ３１の内側に接合した補強物質
３７  注ぎ口３を閉じると接触する部分
３８  ３１の内側に接合した補強物質の底面
３９  注ぎ口３の上端になる縁４０の前方の点線で示す縁
４０  注ぎ口３の上端になる縁
４１  自由可動の補助をする折り目
４２  注ぎ口３の側面
４３  つなぎめ
４４  点線の手で示す、容器を持つ位置
４５  つまみ引きよせあつて接合した凸部
４６  乳飲料水押入後折曲して蓋状に接合固定する凸部
４７  乳飲料水の押入口
４８  開封前の閉じた状態の注ぎ口
４９  高低差のある空白部分
【図１】
2018095316.tif 000003
【図２】
2018095316.tif 000004
【図３】
2018095316.tif 000005
【図４】
2018095316.tif 000006
【図５】
2018095316.tif 000007
【図６】
2018095316.tif 000008
【図７】
2018095316.tif 000009
【図８】
2018095316.tif 000010
【図９】
2018095316.tif 000011
【図１０】
2018095316.tif 000012
【図１１】
2018095316.tif 000013
【図１２】
2018095316.tif 000014
【図１３】
2018095316.tif 000015
【図１４】
2018095316.tif 000016
【図１５】
2018095316.tif 000017
【図１６】
2018095316.tif 000018
【図１７】
2018095316.tif 000019
【図１８】
2018095316.tif 000020
【図１９】
2018095316.tif 000021
【図２０】
2018095316.tif 000022
【図２１】
2018095316.tif 000023
【図２２】
2018095316.tif 000024
【図２３】
2018095316.tif 000025
【図２４】
2018095316.tif 000026
【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
注ぎ口の、外側中芯部分に取り手となる凸部を設けている、注ぎ口を手の指で触らずに開閉可能にして使用する、乳飲料水用容器であつて復数の形態で（１号〜４号まで）復数以上の容器を設ける、用途に適合する材質を選択して用いて使用する（１）〜（１１）で構成を有することを特徴とする、取り手となる凸部を有する乳飲料水用容器
（１）第１号容器、乳飲料水用容器本体７上端部分前方に、外、内に自由可動の注ぎ口３を設けている、（図１を参照）、（図１は第１号器の全体図を示している）
（２）乳飲料水用容器本体７の上部分に、屋根状に傾斜した部分８を設けている
（３）屋根状に傾斜した部分８の上部に、接合固定した部分１、接合固定した部分の左２８、接合固定した部分の右２９を設けている
（４）接合固定した部分１の前方に、外、内に、自由可動の注ぎ口３を設けている、注ぎ口３の上部の後方に、適合する間を設けて、軒先状に内側に折曲した部分２を設けている、この折曲部分２は外側には開かぬようになつている、なを、注ぎ口３を閉じた時、隙間から雑菌の侵入を防止する仕組みになつている
（５）注ぎ口３の外側中芯部分の下部の適合する位置に、取り手となる凸部５を設けている
（６）注ぎ口３の使用時、注ぎ口３は外側に動く、使用が終ると内側に動く、容器本体も少々動く、注ぎ口３が動きやすくなる位置に、自由可動の補助をする折り目９を設けている、以上のようになつている、取り手となる凸部を有する乳飲料水用容器
（７）第２号容器、図１１に示す、注ぎ口３が外側に開かぬ状態にして、軒先状に内側に折曲した部分１９を設けたことを示している
（８）図１２に示す、接合固定した部分１、乳飲料水用容器の後面２４、は図１１に示しているが、この１、２４、を図１３に示す、内側に折曲した容器の後面２７のように接合している、取り手となる凸部５、外、内に、自由可動の注ぎ口３、乳飲料水用容器の底面２５を設けている
（９）図１３に示す、軒先状に内側に折曲した部分１９を拡大したことを示している、外、内に、自由可動の注ぎ口３、取り手となる凸部５、自由可動の補助をする折り目９、注ぎ口の後面になる部分３１、内側に折曲した容器の後面２７を設けている、以上のようになつている、取り手となる凸部を有する乳飲料水用容器
（１０）第３号容器、図１９に示す、注ぎ口の後面になる部分３１の内側に接合した補強物質の底面３８と注ぎ口の上端になる縁４０の間に少々の高低をつけて空白部分を設けている、注ぎ口の後面になる部分３１、３１の内側に接合した補強物質３６、外、内に、自由可動の注ぎ口３、注ぎ口３の上端になる縁４０の前方の点線で示す縁３９取り手となる凸部の支持体６、自由可動の補助をする折り目４１、取り手となる凸部５、注ぎ口３を閉じると接触する部分３７、注ぎ口３の側面４２、以上のようになつている、取り手となる凸部を有する乳飲料水用容器
（１１）第４号容器、図２０に示す、乳飲料水用容器の個々の部分を示している、軒先状に内側に折曲した部分２、外、内に、自由可動の注ぎ口３、補強した物質３５、取り手となる凸部５、取り手となる凸部の支持体６、自由可動の補助をする折り目９、乳飲料水の押入口４７、乳飲料水押入後折曲して蓋状に接合固定する凸部４６、つまみ引きよせあつて接合した凸部４５、乳飲料水用容器の底面２５、使用時の状態は図２１、図２２、図２３を参照する、なを、本発明に記載する個々の部分を選択して用い、不足分は補充して、多角形とか円形とか、適合する形態に変化させて、改良した容器を設けるも可能とする仕組みになつている、以上のようになつている、取り手となる凸部を有する乳飲料水用容器